(57)【要約】      （修正有）【課題】ツボを挟みつけて押圧することができると共に、ツボを挟みつけることが難しい耳の部位に対してもクッション部材を介して押圧部材を押し付けることで耳ツボの刺激が可能となる耳ツボ押圧具を提供する。【解決手段】押圧基部５でつながれた押圧部材１，１と該押圧部材１，１の先端側にはそれぞれ耳を挟むための狭着部材２，２が設けられており、該狭着部材２，２の少なくとも一方は自在に曲げることが可能な弾性体からなるクッション部材３を介して前記押圧部材１の先端に固着されたことを特徴とする耳ツボ押圧具。【選択図】図１
0003184154.tif 000002
【実用新案登録請求の範囲】
【請求項１】
押圧基部（５）でつながれた２つの押圧部材（１）（１）と該押圧部材（１）（１）の先端側にはそれぞれ耳を挟むための狭着部材（２）（２）が設けられており、該狭着部材（２）（２）の少なくとも一方は自在に曲げることが可能な弾性体からなるクッション部材（３）を介して前記押圧部材（１）の先端に固着されたことを特徴とする耳ツボ押圧具。
【請求項２】
狭着部材（２）（２）は互いに大きさの異なるものであることを特徴とする請求項１記載の耳ツボ押圧具。
【請求項３】
押圧部材（１）（１）のそれぞれ外方面側に滑り止めを形成したことを特徴とする請求項１または請求項２のいずれかに記載の耳ツボ押圧具。
【考案の詳細な説明】
【技術分野】
【０００１】
本考案は、耳ツボを押圧する器具に関する。
【背景技術】
【０００２】
耳には、100箇所以上のツボがあると言われている。その中でも、顔面、舌咽、迷走という３つの自律神経に刺激を与えることにより、肥満防止等、健康・美容の向上を図っている。
従来の技術としては、鍼や金粒をシールで装着する方法、耳つぼを押圧する押圧突起を固定部によって耳に固定するように構成したイヤリング状の耳ツボを押圧する固定具（特許文献１参照）、２つの操作材とバネを備えたツボ刺激具で各操作材の挟み部の先端で体の各所のツボを挟み刺激するもの（特許文献２参照）が知られている。
【先行技術文献】
【特許文献】
【０００３】
【特許文献１】特開2008−12256号公報
【特許文献２】特開2012−75488号公報
【考案の概要】
【考案が解決しようとする課題】
【０００４】
従来技術では患者が自分で行うことが困難であり、また、長期の通院が必要になる場合や、皮膚の炎症（発赤やかぶれ等）が起こっていた。
また、器具では、いずれも２つの押圧部材でツボの部分を挟みつけて、ツボを刺激する方法であり、挟み付けることができない耳の部位に対しては耳ツボの刺激が困難であった。又、バネにより押圧する器具であるため、一度、ツボに装着した後は、押圧力に変化を与えることもマッサージする（こする）ことが難しかった。
【課題を解決するための手段】
【０００５】
本考案は、請求項１に記載のとおり、押圧基部（５）でつながれた押圧部材（１）（１）と該押圧部材（１）（１）の先端側にはそれぞれ耳を挟むための狭着部材（２）（２）が設けられており、該狭着部材（２）（２）の少なくとも一方は自在に曲げることが可能な弾性体からなるクッション部材（３）を介して前記押圧部材（１）の先端に固着されたことを特徴とする耳ツボ押圧具である。
【０００６】
請求項２として狭着部材（２）（２）は互いに大きさの異なるものであることを特徴とする請求項１記載の耳ツボ押圧具である。
請求項3として押圧（１）（１）のそれぞれ外方面側に滑り止めを形成したことを特徴とする請求項１または請求項２のいずれかに記載の耳ツボ押圧具である。
【考案の効果】
【０００７】
本考案により、ツボを挟みつけて押圧することができると共に、ツボを挟みつけることが難しい耳の部位に対してもクッション部材を介して押圧部材を押し付けることで耳ツボの刺激が可能となった。又、バネにより耳を押圧して固定する器具ではなく、指先の力で押圧力を自由に変えることができ、マッサージする（こする）ことが可能となった。
【図面の簡単な説明】
【０００８】
【図１】１実施例を示す斜視図である。
【図２】他の実施例を示す斜視図である。
【図３】耳ツボを表す図である。
【考案を実施するための形態】
【０００９】
本考案を以下実施例に基づいて詳細に説明する。
【実施例】
【００１０】
図１は、本考案の耳ツボ押圧具の１実施例を示す斜視図である。押圧基部（５）により一体的にい繋がれた押圧部材（１）（１）は、長さ8cm、厚さ0.8mmのステンレス鋼であって、ピンセット状をなし、押圧基部（５）から先端側にかけて開いており、その先端側に直径5mmと3mmの2個の球形状の狭着部材（２）（２）がそれぞれ設けられている。この押圧部材（１）（１）の一方の先端には、ステンレス鋼製のコイルバネであるクッション材（３）を介してその先端に直径5mmの狭着部材（２）が固着されている。
【００１１】
このステンレス鋼製のコイルバネであるクッション材（３）の効果により、耳に垂直に押し付けても、挟む方向に押圧しても耳ツボへの接触が柔らかく、押圧時の痛み等の不快感を引き起こすことが避けられる。他方の狭着部材（２）は押圧部材（１）に直接固着した。
【００１２】
この耳ツボ押圧具は使用前には狭着部材（２）（２）同士は12mmの隙間を保持しており、使用時には指先で狭着部材（２）（２）を押圧することによりツボを外すことなく圧着することとなる。
押圧部材（１）（１）はステンレス鋼であれば、強度、耐久性に優れているが、これ以外にも、軽量、加工性の点でプラスチック、アルミニウム等もよい。押圧基部（５）は押圧部材（１）（１）を折り曲げて圧着した一体ものでも良く、２個の押圧部材（１）をそれぞれ圧着し、一体化したものであっても良い。又、狭着部材２は、金属、プラスチック、木材、竹材等適宜選べばよい。
【００１３】
その他、石でも良く、特に天然水晶は金属アレルギーの体質には効果があり、マイナスイオンが多く含まれており、温熱効果も高いので望ましい。
狭着部材（２）の形状は、この実施例では、直径5mmと3mmの2個の大きさの異なる球形としたが、安全性の面から言えば、耳に圧着する部分が曲面状であれば良く、球状に限らず、卵形や円盤状等でも良い。大きさも適宜採択すれば良い。
【００１４】
クッション部材（３）は弾性材料を用いることとし、例えば、本実施例のステンレス鋼製のコイルバネは強度、耐久性、加工性、小型化を図る場合に好適に用いられるが、これ以外にも材質としてはバネ用鋼やプラスチック等でも良い。又、形状は、耳ツボへの押圧方向や曲げ方向への屈曲にはコイル状つるまき状が適しており、曲げ方向の屈曲には、板状、線状でも良い。
【００１５】
図２は、他の実施例を示す斜視図である。押圧基部（５）により一体的に繋がれた押圧部材（１）（１）は、長さ9cm、厚さ１mmのプラスチック製であって、ピンセット状に開いた先端に、直径7mm、厚さ4mmである2個の円板状の狭着部材（２）（２）のそれぞれ円周面に固着して設けられている。この押圧部材（１）（１）の一方の先端には、ステンレス鋼製の板バネであるクッション材（３）を介してその先端に狭着部材（２）が固着されている。他方の狭着部材（２）は押圧部材（１）に直接固着した。
【００１６】
この耳ツボ押圧具は使用前には狭着部材（２）（２）同志は１１mmの隙間を保持しており、使用時には狭着部材（２）（２）はツボを外すことなく２個の狭着部材（２）（２）間の円周面で圧着することとなる。
押圧部材（１）（１）は２枚のプラスチック製のものを圧着して押圧基部（５）を形成した。
【００１７】
狭着部材（２）の形状は、この実施例では、直径7mm、厚さ4mmの2個の球形としたが、安全性の面から円周のコーナー部は、曲面状とした。
クッション部材（３）は、ステンレス鋼製の板バネとしたので、挟む方向の屈曲により押圧が柔らかいものとなり、使用感が優れている。
又、押圧部材（１）（１）の掴み部の外方面側にゴム、面粗度を荒くした滑り防止部を設けた。更に、耳たぶを挟む時には、押圧部材（１）（１）の内側面にふくらみ部（４）（４）を設けることで、押圧の際に邪魔となる部分がなく操作性が良くなる。
【００１８】
使用方法について説明する。図１に示す実施例の耳ツボ押圧具を用いて、図3に示す耳（７）のツボを押圧し、刺激する場合を説明する。図３のaで示した部分は、狭着部材（２）（２）で耳（７）を挟み込み、指先で押圧部材（１）（１）を押し付けることで耳（７）のツボの押圧ができる。更に、図３のbで示した部分は耳（７）の付け根部分であって、狭着部材（２）（２）で耳（７）を挟み込むことが難しいため、このような耳（７）の部分にはクッション部材（３）を備えた方の狭着部材（２）を垂直方向に押し付けることで耳（７）のツボの押圧ができる。この時、クッション部材（３）によって、押圧がしなやかになり、快適に耳ツボの押圧が可能となる。
【産業上の利用可能性】
【００１９】
健康器具業界において、活用できるものである。
【符号の説明】
【００２０】
（１）  押圧部材
（２）  狭着部材
（３）  クッション部材
（４）  ふくらみ部
（５）  押圧基部
（６）  滑り止め部
（７）  耳
【図１】
0003184154.tif 000003
【図２】
0003184154.tif 000004
【図３】
0003184154.tif 000005